(57)【要約】【課題】最上位のティッシュペーパーをケースの取出口より長さ方向へ容易に抜き取ることができ、しかも、従来のティッシュペーパー包装体と大きさが変わらず、全体の形態がいびつになることもないティッシュペーパー包装体を提供する。【解決手段】ケース２内に積層されるティッシュペーパー３０は、第１のシート素材４に対して第２のシート素材５が長さ方向へ位置ずれした状態で重ねられている。第１のシート素材４を全長の半分の位置で第２のシート素材５と一体に二つ折りにして、第２のシート素材５の一端部を前記位置ずれ長さだけ第１のシート素材４の一端部より突出させるとともに、その上のティッシュペーパーの第１のシート素材４の他端部の内側へ突出部Ａを折り込むようにして各ティッシュペーパー３０を積層する。ケース２には、ティッシュペーパー３０の突出部Ａが位置する側の端部位置に取出口２０が形成されている。【選択図】図８
2008254781.tif 000002
【特許請求の範囲】
【請求項１】
ティッシュペーパー取出口を有する包装兼収納用のケースの内部にティッシュペーパーの積層体が装填されて成るティッシュペーパー包装体であって、
各ティッシュペーパーは、第１のシート素材に対して第１のシート素材と同じ大きさの第２のシート素材が長さ方向へ位置ずれした状態で重ねられており、
第１のシート素材を全長の半分の位置で第２のシート素材と一体に二つ折りにして、第２のシート素材の一端部を前記位置ずれ長さだけ第１のシート素材の一端部より突出させるとともに、その上に重ねられたティッシュペーパーの第１のシート素材の他端部の内側へ前記突出部分を折り込むようにして各ティッシュペーパーを積層しており、
前記ケースには、ティッシュペーパーの前記突出部分が位置する側の端部位置に、前記ティッシュペーパー取出口が形成されて成るティッシュペーパー包装体。
【請求項２】
各ティッシュペーパーは、一方の側縁部分の所定幅が表面側へ、他方の側縁部分の所定幅が裏面側へ、それぞれ折り返されている請求項１に記載されたティッシュペーパー包装体。
【請求項３】
前記ティッシュペーパー取出口は、ケースに一体形成された蓋により開閉可能である請求項１または２に記載されたティッシュペーパー包装体。
【請求項４】
請求項１〜３のいずれかに記載されたティッシュペーパー包装体であって、前記ケースの上面中央にティッシュペーパーの第２の取出口がさらに設けられているティッシュペーパー包装体。
【発明の詳細な説明】
【技術分野】
【０００１】
この発明は、包装兼収納用のケースの内部に複数のティッシュペーパーが上から順々に抜き取ることが可能なように積層状態で装填されたティッシュペーパー包装体に関するもので、特にこの発明は、ケースの一端部に設けられたティッシュペーパー取出口よりティッシュペーパーを長さ方向へ抜き取ることが可能な構造のティッシュペーパー包装体に関する。
【背景技術】
【０００２】
従来、「ポケットティッシュ」と呼ばれる携帯用のティッシュペーパー包装体は、包装用の樹脂フィルムにより形成されたティッシュペーパーの包装兼収納用のケースの内部に、ティッシュペーパーの積層体を装填して成るものである。前記積層体は、２枚１組のティッシュペーパーを複数層に積み重ねられたもので、ケースの上面に設けられたティッシュペーパー取出口（以下、単に「取出口」という。）よりティッシュペーパーを１枚ずつ上方へ抜き取るようになっている。
【０００３】
各ティッシュペーパーは、図１０および図１１に示すように、同じ大きさ（長さＬ×幅Ｄ）の２枚の矩形状のシート素材１０１，１０２を重ね合わせたもので、一方の側縁部分１０３の所定幅ｔ１が表面側へ折り返されるとともに、さらに所定幅ｔ３（ｔ３＜ｔ１）が反対方向へ折り返される。他方の側縁部分１０４についても所定幅ｔ２が裏面側へ折り返されるとともに、さらに所定幅ｔ４（ｔ４＜ｔ２）が反対方向へ折り返される。なお、図１０および図１１において、１０５，１０７は山折線を、１０６，１０８は谷折線を、それぞれ示す。
【０００４】
上記の山折線１０５，１０７や谷折線１０６，１０８に沿って折り畳まれた２枚１組のティッシュペーパー１００を、図１２に示すように、半分の長さ（Ｌ／２）に二つ折りにし、それを複数層に積み重ねて積層体が構成される。なお、図１２において、１２０はケースを、１２１はケース１２０の上面中央に形成された取出口を、それぞれ示しており、この取出口１２１から最上位に位置するティッシュペーパー１００を抜き取るようになっている。
【０００５】
上記した構成のティッシュペーパー包装体では、積層されたティッシュペーパー１００のそれぞれは互いに係わり合っておらず、ティッシュペーパー１００を抜き取る度に、取出口１２１より指先をケース１２０内に挿入し、最上位のティッシュペーパー１００を摘んで引き出す必要があり、ティッシュペーパー１００の抜取りが容易でないという問題がある。特に、残り枚数が少なくなると、最上位に位置するティッシュペーパー１００とその下に位置するティッシュペーパー１００とを一緒に摘み出してしまうおそれがある。
【０００６】
しかも、従来のティッシュペーパー包装体は、ティッシュペーパー１００をケース１２０の上面中央の取出口１２１より上方へ抜き取る構造であるので、ティッシュペーパー包装体をハンドバッグや衣服の胸元のポケットに入れている場合、ティッシュペーパー１００が必要になると、ティッシュペーパー包装体をハンドバッグやポケットより取り出した後、それを片手に持った状態でティッシュペーパー１００の抜取作業を行う必要がある。
【０００７】
上記した従来のティッシュペーパー包装体の使い勝手をよくするために、先般、ケースの一端部よりティッシュペーパーを抜き取ることができ、そのうえ、最上位のティッシュペーパーを抜き取ると同時にその下のティッシュペーパーの一端部を取出口に導き、次ぎの抜取りに備えて突出させるようにしたものが提案された（例えば特許文献１参照）。
【０００８】
【特許文献１】特開２００７−１６２２号公報
【０００９】
この特許文献１に示されたティッシュペーパー包装体は、図１３に示すように、２枚１組のティッシュペーパー１００を、一端部１１０を所定の長さｄだけ残して二つ折りにした構造のもので、図１４に示すように、前記の一端部１１０を折り返してその上のティッシュペーパー１００の他端部１１１の内側へ折り込むようにしてティッシュペーパー１００が積層されている。
このティッシュペーパー包装体では、最上位のティッシュペーパー１００をケース１２０の端部位置に設けられた取出口１２２より抜き取るとき、そのティッシュペーパー１００がその下のティッシュペーパー１００の一端部１１０を引っ掛けて取出口１２２に導くので、次のティッシュペーパー１００の抜取りが容易となる。
【発明の開示】
【発明が解決しようとする課題】
【００１０】
しかし、上記した構成のティッシュペーパー包装体では、ティッシュペーパー１００の一端部１１０を折り返すので、ティッシュペーパー１００の長さが（Ｌ−ｄ）／２となり、従来のティッシュペーパーの長さ（Ｌ／２）より短くなり、ティッシュペーパー包装体の大きさが不揃いになるだけでなく、図１５に示すように、各ティッシュペーパー１００の一端部１１０が折り返された側の端部の厚みｈ１（シート６枚の厚み）が他端部の厚みｈ２（シート４枚の厚み）より厚くなるため、これが積層されると、ティッシュペーパー包装体の全体がいびつな形態となり、商品価値を低下させるという問題がある。
【００１１】
この発明は、上記した問題に着目してなされたもので、最上位のティッシュペーパーをケースの取出口より長さ方向へ容易に抜き取ることができ、しかも、従来のティッシュペーパー包装体と大きさが揃い、全体の形態もいびつにならないティッシュペーパー包装体を提供することを目的とする。
【課題を解決するための手段】
【００１２】
この発明によるティッシュペーパー包装体は、ティッシュペーパー取出口を有する包装兼収納用のケースの内部にティッシュペーパーの積層体が装填されて成るものであり、各ティッシュペーパーは、第１のシート素材に対して第１のシート素材と同じ大きさの第２のシート素材が長さ方向へ位置ずれした状態で重ねられている。そして、第１のシート素材を全長の半分の位置で第２のシート素材と一体に二つ折りにして、第２のシート素材の一端部を前記位置ずれ長さだけ第１のシート素材の一端部より突出させるとともに、その上に重ねられたティッシュペーパーの第１のシート素材の他端部の内側へ前記突出部分を折り込むようにして各ティッシュペーパーを積層している。前記ケースには、ティッシュペーパーの前記突出部分が位置する側の端部位置に、前記ティッシュペーパー取出口が形成されている。
【００１３】
上記した構成のティッシュペーパー包装体では、取出口がケースの端部位置にあるので、ティッシュペーパー包装体をハンドバッグや衣服の胸元のポケットに入れた状態のままでティッシュペーパーを長さ方向へ抜き取ることができる。しかも、最上位に位置するティッシュペーパーを抜き取るとき、そのティッシュペーパーがその下のティッシュペーパーの一端部の突出部分を引っ掛けて取出口へ導くので、次のティッシュペーパーの抜取りが容易となる。
【００１４】
また、第１のシート素材に対して第２のシート素材を長さ方向へ位置ずれした状態で重ね、第１のシート素材を全長の半分の位置で第２のシート素材と一体に二つ折りにして、第２のシート素材の一端部を前記位置ずれ長さだけ第１のシート素材の一端部より突出させ、その突出部分をその上のティッシュペーパーの第１のシート素材の他端部上に折り重ねるので、全体の大きさが従来のティッシュペーパー包装体と同じ大きさになって統一され、しかも、突出部分が折り返された側の端部の厚みと他端部の厚みとが同じになるため、ティッシュペーパー包装体の全体の形態がいびつにならない。
【００１５】
上記した構成において、各ティッシュペーパーは、典型的には、一方の側縁部分の所定幅が表面側へ、他方の側縁部分の所定幅が裏面側へ、それぞれ折り返された形態のものであるが、そのような形態に限られるものではない。
【００１６】
この発明の好ましい一実施態様においては、前記ティッシュペーパーの取出口は、ケースに一体形成された蓋により開閉可能である。この実施態様によれば、ティッシュペーパーの一端部の突出部分が取出口から突出しても、蓋で取出口を塞ぐとき、蓋が前記突出部分を覆うので、突出部分が汚れるおそれがない。
【００１７】
この発明の好ましい一実施態様においては、前記ケースの上面中央にティッシュペーパーの第２の取出口がさらに設けられている。この実施態様によれば、ティッシュペーパーをケースの端部または上面のいずれの取出口からも抜き取ることができ、使い勝手が一層向上する。
【発明の効果】
【００１８】
この発明によれば、ティッシュペーパー包装体をハンドバッグや衣服の胸元のポケットに入れた状態のままでティッシュペーパーをケースの取出口より抜き取ることができる。しかも、ティッシュペーパーを抜き取るとき、そのティッシュペーパーがその下のティッシュペーパーの一端部の突出部分を引っ掛けて取出口に導出させるので、次のティッシュペーパーの抜取りが容易となる。
また、この発明に係るティッシュペーパー包装体は、従来のものと大きさが同じで不揃いにならず、さらに、突出部分が折り返された側の端部の厚みと他端部の厚みとが同じになり、全体の形態がいびつになることもない。
【発明を実施するための最良の形態】
【００１９】
図１は、この発明の一実施例であるティッシュペーパー包装体１の外観を示している。
図示例のティッシュペーパー包装体１は、袋状をなす包装兼収納用のケース２の内部にティッシュペーパー３０の積層体３が装填されたものである。ケース２は、包装用の樹脂フィルムにより製作されており、両端部は熱溶着された封着部２１，２２となっている。ケース２の上面の一方の端部位置にはティッシュペーパー取出口２０がほぼ全幅にわたって形成されている。最上位に位置するティッシュペーパー３０の突出部Ａ（詳細は後述する）は取出口２０より突出し、その他のティッシュペーパー３０の突出部Ａはケース２の内部において前記取出口２０の側の端部に折込み状態になっている。
【００２０】
前記積層体３は、図２に示すように、複数のティッシュペーパー３０がそれぞれその上のティッシュペーパー３０と互いに係わり合った状態で積層されたものである。各ティッシュペーパー３０は、図３および図４に示すように、同じ矩形状でありかつ同じ大きさ（長さＬ×幅Ｄ）の２枚のシート素材４，５を重ね合わせたもので、第１のシート素材４に対して第２のシート素材５が長さ方向へ位置ずれした状態で重ねられている。なお、第１のシート素材４の両側縁４１，４２と第２のシート素材５の両側縁５１，５２とは揃えられている。
【００２１】
上記した２枚１組のティッシュペーパー３０は、第２のシート素材５の一端部５３が前記位置ずれ長さｄだけ第１のシート素材４の一端縁４３より突出している。一方、第１のシート素材４の他端部４４は前記位置ずれ長さｄだけ第２のシート素材５の他端縁５４より突出している。したがって、第１、第２の各シート素材４，５のそれぞれの厚みがｓのとき、ティッシュペーパー３０の厚みは、第２のシート素材５の一端部５３が突出した部分（以下「突出部Ａ」という。）および第１のシート素材４の他端部４４が突出した部分（以下「突出部Ｂ」という。）に相当する部分がｓであり、各突出部Ａ，Ｂを除く部分Ｃが２ｓである。
【００２２】
上記した構成のティッシュペーパー３０は、第１、第２の各シート素材４，５の一方の側縁部分４５，５５の所定幅ｔ１が表面側へ折り返されるとともに、さらに、その所定幅ｔ３（ｔ３＜ｔ１）が反対方向へ折り返されている。第１、第２の各シート素材４，５の他方の側縁部分４６，５６についても所定幅ｔ２が裏面側へ折り返されるとともに、さらに、その所定幅ｔ４（ｔ４＜ｔ２）が反対方向へ折り返されている。なお、図３および図４において、３１，３３は山折線を、３２，３４は谷折線を、それぞれ示す。
【００２３】
各山折線３１，３３および各谷折線３２，３４に沿って折り畳まれたティッシュペーパー３０において、図５〜図７に示すように、第１のシート素材４をその全長の半分（Ｌ／２）の位置で二つ折りにするとともに、これと一体に第２のシート素材５を折り返し、第２のシート素材５の一端部５３の突出部分Ａを第１のシート素材４の一端縁４３より突出させている。
各ティッシュペーパー３０における第２のシート素材５の突出部Ａは、図８に示すように、その上に重ねられたティッシュペーパー３０の第１のシート素材４の突出部Ｂの内側に重なるように折り込まれて、各ティッシュペーパー３０が積層されている。
【００２４】
上記した構成のティッシュペーパー包装体では、第１のシート素材４を第２のシート素材５と一体に半分の長さに二つ折りにし、第１のシート素材４より突出する第２のシート素材５の突出部Ａを折り返すので、ティッシュペーパー３０の長さがＬ／２となり、従来のティッシュペーパー包装体と大きさを揃えることができる。
また、上記した積層構造によれば、シート１枚の厚みの突出部Ａをシート１枚の厚みの突出部Ｂ上を折り重ねるので、突出部Ａが折り返された側の端部の厚みｈ１（シート４枚の厚み）と他端部の厚みｈ２（シート４枚の厚み）とが等しくなり、ティッシュペーパー包装体の全体がいびつな形態にならない。
【００２５】
上記した実施例では、ケース２に設けられる取出口２０は、ティッシュペーパー３０の前記突出部Ａが位置する側の端部位置に、ほぼ全幅にわたる切断線を形成し、その切断線に沿ってケース２を切り開くことによって形成されるもので、取出口２０より導出された突出部Ａは外部に露出した状態になるが、図９に示す実施例のように、ケース２の端部位置に開設した取出口２０を、ケース２と一体形成された蓋２３によって開閉可能となすこともできる。
この実施態様によれば、ティッシュペーパー３０の突出部Ａが取出口２０から突出して外部に露出しても、蓋２３により取出口２０を塞ぐとき、蓋２３が突出部Ａをその上から覆うので、突出部Ａが汚れるおそれはない。
【００２６】
また、上記した各実施例では、ティッシュペーパーの前記突出部Ａが位置する側の端部位置に１箇所だけ取出口２０が形成されているが、これに限らず、ケース２の上面中央に第２の取出口２４（図１参照）をさらに設けることもできる。この実施態様によれば、ティッシュペーパー３０をケース２の端部または上面のいずれの取出口２０，２４からも抜き取ることができる。
【００２７】
上記した構成のティッシュペーパー包装体では、取出口２０がケース２の端部位置にあるので、ティッシュペーパー包装体をハンドバッグや衣服の胸元のポケットに入れた状態のままでティッシュペーパー３０を長さ方向（図１の矢印の方向）へ抜き取ることができ、しかも、最上位に位置するティッシュペーパー３０を抜き取るとき、そのティッシュペーパー３０がその下のティッシュペーパー３０の一端部の突出部Ａを引っ掛けて取出口２０へ導くので、次のティッシュペーパー３０の抜取りが容易となる。
【図面の簡単な説明】
【００２８】
【図１】この発明の一実施例であるティッシュペーパー包装体の外観を示す斜視図である。
【図２】ティッシュペーパーを積層した状態を示す説明図である。
【図３】ティッシュペーパーを展開した状態を示す平面図である。
【図４】ティッシュペーパーの正面図である。
【図５】ティッシュペーパーを折り畳んだ状態を示す平面図である。
【図６】図５のＸ−Ｘ線に沿う断面図である。
【図７】図５のＹ−Ｙ線に沿う断面図である。
【図８】上下のティッシュペーパーの係わり状態を示す説明図である。
【図９】他の実施例であるティッシュペーパー包装体の外観を示す斜視図である。
【図１０】従来のティッシュペーパーを展開した状態を示す平面図である。
【図１１】従来のティッシュペーパーの正面図である。
【図１２】従来のティッシュペーパーを折り畳んだ状態を示す平面図である。
【図１３】特許文献１に示された従来例のティッシュペーパーを折り畳んだ状態を示す平面図である。
【図１４】図１３の従来例のティッシュペーパーを積層した状態を示す説明図である。
【図１５】図１３の従来例における上下のティッシュペーパーの係わり状態を示す説明図である。
【符号の説明】
【００２９】
１    ティッシュペーパー包装体
２    ケース
２０  取出口
３０  ティッシュペーパー
４    第１のシート素材
５    第２のシート素材
Ａ    突出部
【図１】
2008254781.tif 000003
【図２】
2008254781.tif 000004
【図３】
2008254781.tif 000005
【図４】
2008254781.tif 000006
【図５】
2008254781.tif 000007
【図６】
2008254781.tif 000008
【図７】
2008254781.tif 000009
【図８】
2008254781.tif 000010
【図９】
2008254781.tif 000011
【図１０】
2008254781.tif 000012
【図１１】
2008254781.tif 000013
【図１２】
2008254781.tif 000014
【図１３】
2008254781.tif 000015
【図１４】
2008254781.tif 000016
【図１５】
2008254781.tif 000017
【手続補正書】
【提出日】平成19年8月23日(2007.8.23)
【手続補正１】
【補正対象書類名】特許請求の範囲
【補正対象項目名】請求項１
【補正方法】変更
【補正の内容】
【請求項１】
ティッシュペーパー取出口を有する包装兼収納用のケースの内部にティッシュペーパーの積層体が装填されて成るティッシュペーパー包装体であって、
各ティッシュペーパーは、第１のシート素材に対して第１のシート素材と同じ大きさの第２のシート素材が長さ方向へ位置ずれした状態で重ねられ、その重ねられた第１、第２のシート素材の第１のシート素材の側を谷側にして、第１のシート素材を全長の半分の位置で第２のシート素材と一体に二つ折りにして、第２のシート素材の一端部を前記位置ずれ長さだけ第１のシート素材の一端部より突出させかつ第１のシート素材の他端部を前記位置ずれ長さだけ第２のシート素材の他端部より突出させるとともに、前記第２のシート素材の一端部の突出部分を折り返してそのテッシュペーパー上に重ねられた他のティッシュペーパーの前記第１のシート素材の他端部の突出部分上に重ねるようにして各ティッシュペーパーを積層しており、
前記ケースには、ティッシュペーパーの前記突出部分が位置する側の端部位置に、前記ティッシュペーパー取出口が形成されて成るティッシュペーパー包装体。
【手続補正２】
【補正対象書類名】明細書
【補正対象項目名】０００９
【補正方法】変更
【補正の内容】
【０００９】
この特許文献１に示されたティッシュペーパー包装体は、図１３に示すように、２枚１組のティッシュペーパー１００を、一端部１１０を所定の長さｄだけ残して二つ折りにした構造のもので、図１４に示すように、前記の一端部１１０を折り返してその上のティッシュペーパー１００の他端部１１１上に重ねるようにしてティッシュペーパー１００が積層されている。
このティッシュペーパー包装体では、最上位のティッシュペーパー１００をケース１２０の端部位置に設けられた取出口１２２より抜き取るとき、そのティッシュペーパー１００がその下のティッシュペーパー１００の一端部１１０を引っ掛けて取出口１２２に導くので、次のティッシュペーパー１００の抜取りが容易となる。
【手続補正３】
【補正対象書類名】明細書
【補正対象項目名】００１２
【補正方法】変更
【補正の内容】
【００１２】
この発明によるティッシュペーパー包装体は、ティッシュペーパー取出口を有する包装兼収納用のケースの内部にティッシュペーパーの積層体が装填されて成るものであり、各ティッシュペーパーは、第１のシート素材に対して第１のシート素材と同じ大きさの第２のシート素材が長さ方向へ位置ずれした状態で重ねられている。そして、その重ねられた第１、第２のシート素材の第１のシート素材の側を谷側にして、第１のシート素材を全長の半分の位置で第２のシート素材と一体に二つ折りにして、第２のシート素材の一端部を前記位置ずれ長さだけ第１のシート素材の一端部より突出させかつ第１のシート素材の他端部を前記位置ずれ長さだけ第２のシート素材の他端部より突出させるとともに、前記第２のシート素材の一端部の突出部分を折り返してそのテッシュペーパー上に重ねられた他のティッシュペーパーの前記第１のシート素材の他端部の突出部分上に重ねるようにして各ティッシュペーパーを積層している。前記ケースには、ティッシュペーパーの前記突出部分が位置する側の端部位置に、前記ティッシュペーパー取出口が形成されている。
【手続補正４】
【補正対象書類名】明細書
【補正対象項目名】００１４
【補正方法】変更
【補正の内容】
【００１４】
また、第１のシート素材に対して第２のシート素材を長さ方向へ位置ずれした状態で重ね、その重ねた第１、第２のシート素材の第１のシート素材の側を谷側にして第１のシート素材を全長の半分の位置で第２のシート素材と一体に二つ折りにして、第２のシート素材の一端部を前記位置ずれ長さだけ第１のシート素材の一端部より突出させかつ第１のシート素材の他端部を前記位置ずれ長さだけ第２のシート素材の他端部より突出させ、前記第２のシート素材の一端部の突出部分を折り返してそのテッシュペーパー上に重ねられた他のティッシュペーパーの前記第１のシート素材の他端部の突出部分上に重ねるので、全体の大きさが従来のティッシュペーパー包装体と同じ大きさになって統一され、しかも、突出部分が折り返された側の端部の厚みと他端部の厚みとが同じになるため、ティッシュペーパー包装体の全体の形態がいびつにならない。
【手続補正５】
【補正対象書類名】明細書
【補正対象項目名】００２３
【補正方法】変更
【補正の内容】
【００２３】
各山折線３１，３３および各谷折線３２，３４に沿って折り畳まれたティッシュペーパー３０において、図５〜図７に示すように、重ねられた第１、第２のシート素材４，５の第１のシート素材４の側を谷側にして第１のシート素材４をその全長の半分（Ｌ／２）の位置で二つ折りにするとともに、これと一体に第２のシート素材５を折り返し、第２のシート素材５の一端部５３の突出部Ａを第１のシート素材４の一端縁４３より突出させている。
各ティッシュペーパー３０における第２のシート素材５の突出部Ａは、図８に示すように折り返されるとともに、そのティッシュペーパー３０上に重ねられた他のティッシュペーパー３０の第１のシート素材４の突出部Ｂ上に重ねるようにして、各ティッシュペーパー３０が積層されている。
【手続補正６】
【補正対象書類名】明細書
【補正対象項目名】００２４
【補正方法】変更
【補正の内容】
【００２４】
上記した構成のティッシュペーパー包装体では、第１のシート素材４を第２のシート素材５と一体に半分の長さに二つ折りにし、第１のシート素材４より突出する第２のシート素材５の突出部Ａを折り返すので、ティッシュペーパー３０の長さがＬ／２となり、従来のティッシュペーパー包装体と大きさを揃えることができる。
また、上記した積層構造によれば、シート１枚の厚みの突出部Ａをシート１枚の厚みの突出部Ｂ上に折り重ねるので、突出部Ａが折り返された側の端部の厚みｈ１（シート４枚の厚み）と他端部の厚みｈ２（シート４枚の厚み）とが等しくなり、ティッシュペーパー包装体の全体がいびつな形態にならない。
【手続補正７】
【補正対象書類名】明細書
【補正対象項目名】００２９
【補正方法】変更
【補正の内容】
【００２９】
１    ティッシュペーパー包装体
２    ケース
２０  取出口
３０  ティッシュペーパー
４    第１のシート素材
５    第２のシート素材
Ａ，Ｂ    突出部